【手続補正書】
【提出日】平成30年4月25日(2018.4.25)
【手続補正１】
【補正対象書類名】特許請求の範囲
【補正対象項目名】全文
【補正方法】変更
【補正の内容】
【特許請求の範囲】
【請求項１】
表面側の金属板と裏面側の金属板との間に芯材が挟まれ、一端側および他端側に接合端部を有し、複数の当該パネルの前記一端側の接合端部に前記他端側の接合端部を接合した状態で、母屋材に固定される屋根パネルであって、
前記屋根パネルの前記一端側の接合端部は、
前記裏面側の金属板が前記芯材の端面から突出して樋状に形成され前記母屋材に固定される固定部と、該固定部の端部に形成された第１の係合部と、前記芯材の表面側の角部を欠損させて形成された段部と、前記表面側の金属板を前記段部の表面側を覆って突出して形成された第２の係合部と、前記段部と前記第２の係合部によって形成された側方に開口する溝部と、を備え、
前記屋根パネルの前記他端側の接合端部は、
少なくとも前記表面側の金属板と前記芯材とからなり前記固定部に重畳する重畳部と、前記裏面側の金属板で形成され前記第１の係合部に係合する第１の被係合部と、前記表面側の金属板で形成され前記溝部に挿入されるとともに前記第２の係合部に係合する第２の被係合部と、を備える
ことを特徴とする屋根パネル。
【請求項２】
前記一端側の接合端部の前記溝部に、前記他端側の接合端部の前記第２の被係合部が当接可能なシール部材が固定されていることを特徴とする請求項１に記載の屋根パネル。
【請求項３】
前記表面側の金属板および前記裏面側の金属板が弾性を有し、
前記第１の係合部に対する前記第１の被係合部の係合、および前記第２の係合部に対する前記第２の被係合部の係合が、弾性的な係合であることを特徴とする請求項１または２に記載の屋根パネル。
【請求項４】
前記固定部が前記母屋材に固定され、かつ、複数の当該パネルが接合された状態で、前記表面側の金属板の露出面が平坦に形成されていることを特徴とする請求項１〜３のいずれかに記載の屋根パネル。
【請求項５】
請求項１〜４のいずれかに記載の複数の屋根パネルを、前記裏面側の金属板を前記母屋材に対向させ、かつ、前記一端側の接合端部に前記他端側の接合端部を接合した状態で、前記母屋材に固定する屋根パネルの固定構造であって、
一の前記屋根パネルにおける前記一端側の接合端部の前記固定部を前記母屋材に対向させて該固定部を該母屋材にねじ部材で固定し、
次いで該固定した一の屋根パネルの前記一端側の接合端部に対し、二の前記屋根パネルの前記他端側の接合端部を、
前記第１の係合部に前記第１の被係合部を係合させ、
前記固定部に前記重畳部を重畳させることで該重畳部により前記ねじ部材を覆い、
前記溝部に前記第２の被係合部を挿入するとともに前記第２の係合部に該第２の被係合部を係合させることによって接合する
ことを特徴とする屋根パネルの固定構造。
【請求項６】
前記固定部に補強部材を嵌合し、該固定部を該補強部材とともに前記母屋材に前記ねじ部材で固定することを特徴とする請求項５に記載の屋根パネルの固定構造。
【請求項７】
前記第２の係合部と前記第２の被係合部との間にコーキング材を介在させることを特徴とする請求項５または６に記載の屋根パネルの固定構造。
【手続補正２】
【補正対象書類名】明細書
【補正対象項目名】０００７
【補正方法】変更
【補正の内容】
【０００７】
また、本発明の屋根パネルの固定構造は、複数の上記本発明の屋根パネルを、前記裏面側の金属板を前記母屋材に対向させ、かつ、前記一端側の接合端部に前記他端側の接合端部を接合した状態で、前記母屋材に固定する屋根パネルの固定構造であって、一の前記屋根パネルにおける前記一端側の接合端部の前記固定部を前記母屋材に対向させて該固定部を該母屋材にねじ部材で固定し、次いで該固定した一の屋根パネルの前記一端側の接合端部に対し、二の前記屋根パネルの前記他端側の接合端部を、前記第１の係合部に前記第１の被係合部を係合させ、前記固定部に前記重畳部を重畳させることで該重畳部により前記ねじ部材を覆い、前記溝部に前記第２の被係合部を挿入するとともに前記第２の係合部に該第２の被係合部を係合させることによって接合することを特徴とする。
【手続補正３】
【補正対象書類名】明細書
【補正対象項目名】０００８
【補正方法】変更
【補正の内容】
【０００８】
本発明の屋根パネルおよび屋根パネルの固定構造によれば、屋根パネル（一の屋根パネル）の一端側の接合端部の固定部をねじ部材によって母屋材に固定することで、屋根パネルが母屋材に固定される。そして、固定した屋根パネルに並列して接合させる屋根パネル（二の屋根パネル）の他端側の接合端部を、固定した屋根パネルの一端側の接合端部に接合し、その屋根パネルを同様に固定することを繰り返して、屋根が施工される。なお、本発明でのねじ部材は、雄ねじ、ビス、ボルト等の締結部材であり、固定部を貫通して母屋材にねじ込まれることにより固定部が母屋材に固定される部材を言う。本発明の屋根パネルは、例えば長方形状に形成され、長手方向に沿った端部の一方が一端側の接合端部、他方側が他端側の接合端部とされ、長手方向を傾斜させて屋根が施工される。
【手続補正４】
【補正対象書類名】明細書
【補正対象項目名】０００９
【補正方法】変更
【補正の内容】
【０００９】
上記のように並列して固定された複数の屋根パネルの互いの接合端部においては、第１の係合部に第１の被係合部が係合し、溝部に第２の被係合部が挿入されるとともに第２の係合部に第２の被係合部が係合して、接合状態が保持される。そして、一端側の固定部を母屋材に固定しているねじ部材は、他端側の接合端部の重畳部で覆われる。ねじ部材は、他端側の接合端部の重畳部で覆われることにより屋根パネルの表面に露出せず、ねじ部材が見えない外観を得ることができる。また、ねじ部材が屋根パネルの表面に露出しないことにより上記した凍結の問題は起こらず、十分な固定強度を長期にわたって得ることができる。降雨または降雪等により屋根パネルの表面に水が付着した場合、その水は表面側の金属板上を流れて軒下から落下する他に、互いの接合端部間に浸入するものがある。互いの接合端部内に浸入した水は、一端側の接合端部の樋状の固定部で受けられ、この固定部を流れて排出させることができ、漏水を防ぐことができる。
【手続補正５】
【補正対象書類名】明細書
【補正対象項目名】００１３
【補正方法】変更
【補正の内容】
【００１３】
また、本発明の屋根パネルの固定構造は、前記固定部に補強部材を嵌合し、該固定部を該補強部材とともに前記母屋材に前記ねじ部材で固定する形態を含む。補強部材を固定部に嵌合することにより裏面側の金属板が薄くても固定強度を十分に確保することができる。
【手続補正６】
【補正対象書類名】明細書
【補正対象項目名】００２０
【補正方法】変更
【補正の内容】
【００２０】
金属板１０，２０の材質は限定されないが、鋼板が好適であり、例えば、溶融５５％アルミニウム−亜鉛合金メッキ鋼板（ガルバリウム鋼板（登録商標））や亜鉛−アルミニウム６％−マグネシウム３％メッキ鋼板（ＺＡＭ：登録商標）、あるいはカラー鋼板等が用いられる。金属板１０，２０は弾性変形可能な厚さ（例えば０．３５ｍｍ程度）を有している。また、芯材３０は、例えばポリスチレン等の軽量樹脂発泡材が用いられるが、これも材質は限定されない。芯材３０の厚さは、例えば２５〜１００ｍｍとされる。屋根パネル１の全体寸法は任意であって施工する屋根に対応したものとされるが、例えば縦方向長さ：１８００〜１３０００ｍｍ、幅：４００〜１２００ｍｍ、厚さ：２５〜１００ｍｍ程度のものが挙げられる。
【手続補正７】
【補正対象書類名】図面
【補正対象項目名】図３
【補正方法】変更
【補正の内容】
【図３】
2017020192.tif 000001